(57)【要約】【課題】湾曲部形成時の配線へのダメージを緩和する。【解決手段】本開示に係る表示装置は、表示領域と、前記表示領域の少なくとも一部と対向する背面領域と、前記表示領域と背面領域とを連結する湾曲領域と、を有する表示パネルを含み、前記表示パネルは、前記表示領域、前記湾曲領域、及び前記背面領域に配置される絶縁性基材と、前記絶縁性基材の外表面側に配置され、絶縁層と配線とを含む配線層と、前記表示領域における前記配線層の外表面側に設けられ、前記配線に電気的に接続された表示素子と、前記表示領域における前記絶縁性基材の内表面側に設けられ、前記表示領域側から前記湾曲領域側に突出する複数の凸部を有する第１の保護シートと、を含む。【選択図】図４
2018040977.tif 000002
【特許請求の範囲】
【請求項１】
表示領域と、前記表示領域の少なくとも一部と対向する背面領域と、前記表示領域と背面領域とを連結する湾曲領域と、を有する表示パネルを含み、
前記表示パネルは、
前記表示領域、前記湾曲領域、及び前記背面領域に配置される絶縁性基材と、
前記絶縁性基材の外表面側に配置され、絶縁層と配線とを含む配線層と、
前記表示領域における前記配線層の外表面側に設けられ、前記配線に電気的に接続された表示素子と、
前記表示領域における前記絶縁性基材の内表面側に設けられ、前記表示領域側から前記湾曲領域側に突出する複数の凸部を有する第１の保護シートと、を含む表示装置。
【請求項２】
前記第１の保護シートにおける複数の凸部の形状は、頂点が丸みを帯びた略三角形状である、請求項１に記載の表示装置。
【請求項３】
前記表示パネルは、
前記背面領域における前記配線層の外表面側に設けられたドライバＩＣと、
前記表示素子と前記ドライバＩＣとを接続する信号線と、を更に含み、
前記信号線は、前記絶縁性基材の外表面側において、前記第１の保護シートにおける複数の凸部の内の隣り合う二つの凸部の頂点の間に対応する位置に配置された、請求項１又は２に記載の表示装置。
【請求項４】
前記表示パネルは、
前記背面領域における前記配線層の外表面側に設けられたドライバＩＣと、
前記表示素子と前記ドライバＩＣとを接続する信号線と、
前記表示素子に電源を供給する電源線と、を更に含み、
前記第１の保護シートにおける複数の凸部の配置密度が不均一であり、
前記複数の凸部の配置密度の高い領域に対応する位置に前記信号線が配置され、
前記複数の凸部の配置密度の低い領域に対応する位置に前記電源線が配置された、
請求項１乃至３のいずれかに記載の表示装置。
【請求項５】
前記第１の保護シートにおける複数の凸部の配置密度の低い領域は、前記複数の凸部の配置密度の高い領域よりも端側に配置された、請求項４に記載の表示装置。
【請求項６】
前記第１の保護シートの厚みが、前記表示領域側から前記湾曲領域側に行くにしたがって薄くなる、請求項１乃至５のいずれかに記載の表示装置。
【請求項７】
前記表示パネルは、少なくとも前記湾曲領域の外周側に配置された第３の保護シートを更に含み、
前記第３の保護シートの一部と前記第１の保護シートの一部とが、前記絶縁性基材及び前記配線層を介して対向する、請求項１乃至６のいずれかに記載の表示装置。
【請求項８】
前記第１の保護シートが有する複数の凸部と前記絶縁性基材の端部との交差角度が鈍角である、請求項１乃至７のいずれかに記載の表示装置。
【請求項９】
前記表示パネルは、前記背面領域における前記絶縁性基材の内表面側に設けられ、前記背面領域側から前記湾曲領域側に突出する複数の凸部を有する第２の保護シートを更に含む、請求項１乃至８のいずれかに記載の表示装置。
【請求項１０】
前記第１の保護シートにおける複数の凸部の頂点の少なくとも一つと、前記第２の保護シートにおける複数の凸部の頂点の少なくとも一つが対向する、請求項９に記載の表示装置。
【請求項１１】
前記表示パネルは、
前記背面領域における前記配線層の外表面側に設けられたドライバＩＣと、
前記表示素子と前記ドライバＩＣとを接続する信号線と、を更に含み、
前記信号線は、前記絶縁性基材の外表面側において、前記第１の保護シートにおける前記三角形状の凸部における辺に対応する位置から、前記第２の保護シートにおける前記三角形状の凸部における辺に対応する位置にまで配置された、請求項９又は１０に記載の表示装置。
【請求項１２】
前記信号線は、前記絶縁性基材の外表面側において、前記第２の保護シートにおける複数の凸部の内の隣り合う二つの凸部の頂点の間に対応する位置に配置された、請求項９乃至１１のいずれかに記載の表示装置。
【請求項１３】
前記表示パネルは、
前記背面領域における前記配線層の外表面側に設けられたドライバＩＣと、
前記表示素子と前記ドライバＩＣとを接続する信号線と、
前記表示素子に電源を供給する電源線と、を更に含み、
前記第２の保護シートにおける複数の凸部の配置密度が不均一であり、
前記複数の凸部の配置密度の高い領域に対応する位置に前記信号線が配置され、
前記複数の凸部の配置密度の低い領域に対応する位置に前記電源線が配置された、
請求項９乃至１２のいずれかに記載の表示装置。
【請求項１４】
前記第２の保護シートにおける複数の凸部の配置密度の低い領域は、前記複数の凸部の配置密度の高い領域よりも端側に配置された、請求項１３に記載の表示装置。
【請求項１５】
前記第２の保護シートの厚みが、前記背面領域側から前記湾曲領域側に行くにしたがって薄くなる、請求項９乃至１４のいずれかに記載の表示装置。
【請求項１６】
前記表示パネルは、少なくとも前記湾曲領域の外周側に配置された第３の保護シートを更に含み、
前記第３の保護シートの一部と前記第２の保護シートの一部とが、前記絶縁性基材及び前記配線層を介して対向する、請求項９乃至１５のいずれかに記載の表示装置。
【請求項１７】
前記第２の保護シートが有する複数の凸部と前記絶縁性基材の端部との交差角度が鈍角である、請求項９乃至１６のいずれかに記載の表示装置。
【発明の詳細な説明】
【技術分野】
【０００１】
本発明は、表示装置に関する。
【背景技術】
【０００２】
近年、表示装置の小型化又は画像を表示する表示領域の拡大のために、表示領域の周縁にある、いわゆる額縁領域を狭くすること（狭額縁化）が求められている。特に、スマートフォン等のモバイル機器において、狭額縁化の要請が大きくなってきている。
【０００３】
狭額縁化を図る一例として、下記特許文献１には、可撓性を有するフィルム状の基材と、基材上に設けられた表示素子と、表示素子に接続された配線とを含む表示装置が開示されている。表示装置は湾曲部と非湾曲部とを有し、配線は非湾曲部から湾曲部にまで設けられている。このように、表示装置の一部に湾曲部を設けることにより狭額縁化が図られている。なお、フィルム状の基材の内周面側には、基材を保護する保護シートが設けられている。
【先行技術文献】
【特許文献】
【０００４】
【特許文献１】特開２０１６−３１４９９号公報
【発明の概要】
【発明が解決しようとする課題】
【０００５】
しかし、従来の表示装置では、湾曲部形成する際に、保護シート形成部と非形成部との境界領域において曲げ応力が集中し、配線にダメージを与える恐れがあった。
【０００６】
本開示は、上記問題点に鑑みてなされたものであり、その目的は、湾曲部形成時における表示装置の配線へのダメージを緩和することである。
【課題を解決するための手段】
【０００７】
（１）本開示に係る表示装置は、表示領域と、前記表示領域の少なくとも一部と対向する背面領域と、前記表示領域と背面領域とを連結する湾曲領域と、を有する表示パネルを含み、前記表示パネルは、前記表示領域、前記湾曲領域、及び前記背面領域に配置される絶縁性基材と、前記絶縁性基材の外表面側に配置され、絶縁層と配線とを含む配線層と、前記表示領域における前記配線層の外表面側に設けられ、前記配線に電気的に接続された表示素子と、前記表示領域における前記絶縁性基材の内表面側に設けられ、前記表示領域側から前記湾曲領域側に突出する複数の凸部を有する第１の保護シートと、を含む。
【０００８】
（２）上記（１）における表示装置は、前記第１の保護シートにおける複数の凸部の形状は、頂点が丸みを帯びた略三角形状であってもよい。
【０００９】
（３）上記（１）〜（２）における表示装置は、前記表示パネルは、前記背面領域における前記配線層の外表面側に設けられたドライバＩＣと、前記表示素子と前記ドライバＩＣとを接続する信号線と、を更に含み、前記信号線は、前記絶縁性基材の外表面側において、前記第１の保護シートにおける複数の凸部の内の隣り合う二つの凸部の頂点の間に対応する位置に配置されてもよい。
【００１０】
（４）上記（１）〜（３）における表示装置は、前記表示パネルは、前記背面領域における前記配線層の外表面側に設けられたドライバＩＣと、前記表示素子と前記ドライバＩＣとを接続する信号線と、前記表示素子に電源を供給する電源線と、を更に含み、前記第１の保護シートにおける複数の凸部の配置密度が不均一であり、前記複数の凸部の配置密度の高い領域に対応する位置に前記信号線が配置され、前記複数の凸部の配置密度の低い領域に対応する位置に前記電源線が配置されてもよい。
【００１１】
（５）上記（４）における表示装置は、前記第１の保護シートにおける複数の凸部の配置密度の低い領域は、前記複数の凸部の配置密度の高い領域よりも端側に配置されてもよい。
【００１２】
（６）上記（１）〜（５）における表示装置は、前記第１の保護シートの厚みが、前記表示領域側から前記湾曲領域側に行くにしたがって薄くなってもよい。
【００１３】
（７）上記（１）〜（６）における表示装置は、前記表示パネルは、少なくとも前記湾曲領域の外周側に配置された第３の保護シートを更に含み、前記第３の保護シートの一部と前記第１の保護シートの一部とが、前記絶縁性基材及び前記配線層を介して対向してもよい。
【００１４】
（８）上記（１）〜（７）における表示装置は、前記第１の保護シートが有する複数の凸部と前記絶縁性基材の端部との交差角度が鈍角であってもよい。
【００１５】
（９）上記（１）〜（８）における表示装置は、前記表示パネルは、前記背面領域における前記絶縁性基材の内表面側に設けられ、前記背面領域側から前記湾曲領域側に突出する複数の凸部を有する第２の保護シートを更に含んでもよい。
【００１６】
（１０）上記（９）における表示装置は、前記第１の保護シートにおける複数の凸部の頂点の少なくとも一つと、前記第２の保護シートにおける複数の凸部の頂点の少なくとも一つが対向してもよい。
【００１７】
（１１）上記（９）〜（１０）における表示装置は、前記表示パネルは、前記背面領域における前記配線層の外表面側に設けられたドライバＩＣと、前記表示素子と前記ドライバＩＣとを接続する信号線と、を更に含み、前記信号線は、前記絶縁性基材の外表面側において、前記第１の保護シートにおける前記三角形状の凸部における辺に対応する位置から、前記第２の保護シートにおける前記三角形状の凸部における辺に対応する位置にまで配置されてもよい。
【００１８】
（１２）上記（９）〜（１１）における表示装置は、前記信号線は、前記絶縁性基材の外表面側において、前記第２の保護シートにおける複数の凸部の内の隣り合う二つの凸部の頂点の間に対応する位置に配置されてもよい。
【００１９】
（１３）上記（９）〜（１２）における表示装置は、前記表示パネルは、前記背面領域における前記配線層の外表面側に設けられたドライバＩＣと、前記表示素子と前記ドライバＩＣとを接続する信号線と、前記表示素子に電源を供給する電源線と、を更に含み、前記第２の保護シートにおける複数の凸部の配置密度が不均一であり、前記複数の凸部の配置密度の高い領域に対応する位置に前記信号線が配置され、前記複数の凸部の配置密度の低い領域に対応する位置に前記電源線が配置されてもよい。
【００２０】
（１４）上記（１３）における表示装置は、前記第２の保護シートにおける複数の凸部の配置密度の低い領域は、前記複数の凸部の配置密度の高い領域よりも端側に配置されてもよい。
【００２１】
（１５）上記（９）〜（１４）における表示装置は、前記第２の保護シートの厚みが、前記背面領域側から前記湾曲領域側に行くにしたがって薄くなってもよい。
【００２２】
（１６）上記（９）〜（１５）における表示装置は、前記表示パネルは、少なくとも前記湾曲領域の外周側に配置された第３の保護シートを更に含み、前記第３の保護シートの一部と前記第２の保護シートの一部とが、前記絶縁性基材及び前記配線層を介して対向してもよい。
【００２３】
（１７）上記（９）〜（１６）における表示装置は、前記第２の保護シートが有する複数の凸部と前記絶縁性基材の端部との交差角度が鈍角であってもよい。
【図面の簡単な説明】
【００２４】
【図１】図１は、本実施形態に係る表示装置の概略の構成を示す模式図である。
【図２】図２は、本実施形態に係る表示装置における表示パネルの模式的な平面図である。
【図３】図３は、本実施形態に係る表示装置における表示パネルの模式的な垂直断面図である。
【図４】図４は、本実施形態に係る表示装置における表示パネルの内表面側を示す模式的な平面図である。
【図５】図５は、本実施形態に係る表示装置の第１の保護シートにおける凸部の形状を示す模式図である。
【図６】図６は、本実施形態に係る表示装置の第１の保護シートにおける凸部の形状を示す模式図である。
【図７】図７は、本実施形態に係る表示装置における表示パネルの模式的な垂直断面図である。
【発明を実施するための形態】
【００２５】
［第１の実施形態］
以下、本開示の実施の形態について、図面に基づいて説明する。
【００２６】
なお、本開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００２７】
本開示の実施形態に係る表示装置２は、例えば有機エレクトロルミネッセンス表示装置であり、テレビ、パソコン、携帯端末、携帯電話等に搭載される。図１は実施形態に係る表示装置２の概略の構成を示す模式図である。表示装置２は、画像を表示する画素アレイ部４と、当該画素アレイ部４を駆動する駆動部とを備える。表示装置２はフレキシブルディスプレイであり、可撓性を有した樹脂フィルムなどからなる基材と、当該基材の内部又は上方に設けられた配線と、を含む配線層を有する。
【００２８】
画素アレイ部４には画素に対応して有機発光ダイオード６及び画素回路８がマトリクス状に配置される。画素回路８は、点灯ＴＦＴ（ｔｈｉｎ  ｆｉｌｍ  ｔｒａｎｓｉｓｔｏｒ）１０、駆動ＴＦＴ１２、及びキャパシタ１４などを含む。
【００２９】
一方、駆動部は、走査線駆動回路２０、映像線駆動回路２２、駆動電源回路２４及び制御装置２６を含み、画素回路８を駆動し、有機発光ダイオード６の発光を制御する。
【００３０】
走査線駆動回路２０は画素の水平方向の並び（画素行）ごとに設けられた走査信号線２８に接続されている。走査線駆動回路２０は制御装置２６から入力されるタイミング信号に応じて走査信号線２８を順番に選択し、選択した走査信号線２８に、点灯ＴＦＴ１０をオンする電圧を印加する。
【００３１】
映像線駆動回路２２は画素の垂直方向の並び（画素列）ごとに設けられた映像信号線３０に接続されている。映像線駆動回路２２は制御装置２６から映像信号を入力され、走査線駆動回路２０による走査信号線２８の選択に合わせて、選択された画素行の映像信号に応じた電圧を各映像信号線３０に出力する。当該電圧は、選択された画素行にて点灯ＴＦＴ１０を介してキャパシタ１４に書き込まれる。駆動ＴＦＴ１２は書き込まれた電圧に応じた電流を有機発光ダイオード６に供給し、これにより、選択された走査信号線２８に対応する画素の有機発光ダイオード６が発光する。
【００３２】
駆動電源回路２４は画素列ごとに設けられた駆動電源線３２に接続され、駆動電源線３２及び選択された画素行の駆動ＴＦＴ１２を介して有機発光ダイオード６に電流を供給する。
【００３３】
ここで、有機発光ダイオード６の下部電極は駆動ＴＦＴ１２に接続される。一方、各有機発光ダイオード６の上部電極は、全画素の有機発光ダイオード６に共通の電極で構成される。下部電極を陽極（アノード）として構成する場合は、高電位が入力され、上部電極は陰極（カソード）となって低電位が入力される。下部電極を陰極（カソード）として構成する場合は、低電位が入力され、上部電極は陽極（アノード）となって高電位が入力される。
【００３４】
図２は表示装置２における表示パネル４０の模式的な平面図である。表示パネル４０は、表示領域Ａと、表示領域Ａに連結された湾曲領域Ｂと、湾曲領域Ｂに連結された背面領域Ｃと、を有する。
【００３５】
表示パネル４０の表示領域Ａには表示素子４２が配置されており、表示素子４２が、図１に示した画素アレイ部４、有機発光ダイオード６、画素回路８を含んでいる。
【００３６】
表示パネル４０の湾曲領域Ｂ、背面領域Ｃには部品実装領域４６が設けられ、表示素子４２に電気的に接続される配線が配置される。さらに部品実装領域４６には駆動部を構成するドライバＩＣ４８が搭載されたり、ＦＰＣ（Ｆｌｅｘｉｂｌｅ  Ｐｒｉｎｔｅｄ  Ｃｉｒｃｕｉｔｓ）５０が接続されたりする。ＦＰＣ５０は制御装置２６や走査線駆動回路２０、映像線駆動回路２２、駆動電源回路２４等に接続されたり、その上にＩＣを搭載されたりする。
【００３７】
表示パネル４０を表示装置２の筐体に格納する際には、湾曲領域Ｂを折り返すことにより、背面領域Ｃを表示領域Ａの裏面側に配置し、背面領域Ｃを表示領域Ａの少なくとも一部と対向させる。
【００３８】
図３は、図２におけるＩＩＩ−ＩＩＩ線における断面を示す断面図である。図２を用いて上述したように、表示パネル４０は、表示領域Ａ、湾曲領域Ｂ、背面領域Ｃを有している。湾曲領域Ｂを湾曲させる際には、表示パネル４０の背面領域Ｃの下面側が、表示領域Ａの下面側と対向するように湾曲させる。ここで、表示領域Ａにおける背面領域Ｃと対向する面を、表示領域Ａの内表面と定義し、背面領域Ｃにおける表示領域Ａと対向する面を、背面領域Ｃの内表面と定義する。また、湾曲領域Ｂにおいて表示パネル４０全体の中心側を向く面を、湾曲領域Ｂの内表面と定義する。
【００３９】
表示パネル４０は、表示領域Ａ、湾曲領域Ｂ、及び背面領域Ｃに配置される絶縁性基材７０を有する。絶縁性基材７０は、例えばポリイミドなどの絶縁性樹脂などにより形成される。
【００４０】
絶縁性基材７０の外表面側には、配線層６０が配置される。配線層６０は、絶縁層６０Ａと、この絶縁層６０Ａに内在する配線６０Ｂと、を含む。絶縁層６０Ａは、例えば窒化シリコン、酸化シリコン等を用いて形成される。
【００４１】
表示領域Ａにおける配線層６０の外表面側には、上述した表示素子４２が設けられており、配線層６０における配線６０Ｂに電気的に接続されている。
【００４２】
背面領域Ｃにおける配線層６０の外表面側には、上述したドライバＩＣ４８、ＦＰＣ５０が設けられている。表示素子４２とドライバＩＣ４８との間には、図４に示す信号線８１が配置され、両者間の信号伝達経路として利用される。信号線８１は絶縁性基材７０の外表面側に設けられており、配線層６０の上面に配置されてもよく、配線層６０における配線６０Ｂに含まれてもよい。表示素子４２とＦＰＣ５０との間には、図４に示す電源線８２が配置されており、表示素子４２に電源を供給する。この電源線８２も絶縁性基材７０の外表面側に設けられており、配線層６０の上方に配置されてもよく、配線層６０における配線６０Ｂに含まれてもよい。
【００４３】
表示領域Ａにおける絶縁性基材７０の内表面側には第１の保護シート５１が配置されている。第１の保護シート５１としては、例えば感光性アクリル樹脂、シリコーン、ポリエチレンテレフタレートなどを用いることができる。
【００４４】
背面領域Ｃにおける絶縁性基材７０の内表面側には第２の保護シート５２が配置されている。第２の保護シート５２としては、第１の保護シート５１と同様、例えば感光性アクリル樹脂、シリコーン、ポリエチレンテレフタレートなどを用いることができる。
【００４５】
湾曲領域Ｂにおける配線層６０の外表面側には、第３の保護シート５３が配置されている。第３の保護シート５３は、例えばポリイミドなどの有機保護膜などを用いることができる。この第３の保護シート５３を配置することにより、配線層６０における配線６０Ｂへの外表面側からのダメージを緩和させることができ、また絶縁層６０Ａの割れ発生も抑制することができる。なお、表示領域Ａと湾曲領域Ｂとの境界部においては、この第３の保護シート５３の一部と第１の保護シート５１の一部とが、絶縁性基材７０等を介して対向する、重なり領域５３Ａを設けている。また、背面領域Ｃと湾曲領域Ｂとの境界部においては、この第３の保護シート５３の一部と第２の保護シート５２の一部とが、絶縁性基材７０等を介して対向する、重なり領域５３Ｂを設けている。
【００４６】
続いて、第１の保護シート５１、第２の保護シート５２の形状について説明する。
【００４７】
図４は、本実施形態における表示パネルの内表面側を示す模式的な平面図である。
【００４８】
表示領域Ａの内表面側に設けられた第１の保護シート５１は、表示領域Ａ側から湾曲領域Ｂ側に突出する複数の凸部５１Ａを有している。また、背面領域Ｃの内表面側に設けられた第２の保護シート５２は、背面領域Ｃ側から湾曲領域Ｂ側に突出する複数の凸部５２Ａを有している。本実施形態においては、第１の保護シート５１、第２の保護シート５２が有する複数の凸部５１Ａ、凸部５２Ａの形状は、頂点が丸みを帯びた略三角形状をしている。
【００４９】
このような構成により、湾曲領域Ｂを湾曲させる際における、表示領域Ａと湾曲領域Ｂとの境界領域における曲げ応力を、第１の保護シート５１における複数の凸部５１Ａの辺上において分散させることができる。また、背面領域Ｃと湾曲領域Ｂとの境界領域における曲げ応力を、第２の保護シート５２における複数の凸部５２Ａの辺上において分散させることができる。その結果、図３に示した配線層６０における配線６０Ｂへのダメージ発生を緩和することができる。
【００５０】
なお、複数の凸部５１Ａ、及び凸部５２Ａの形状は、上述した頂点に丸みを帯びた略三角形状に限られず、図５に示すような、略半円の凸部５１Ｃと略半円の凹部５１Ｄとを組み合わせた形状や、図６に示すような、丸みを帯びない三角形状としても構わない。図５に示した、略半円の凸部５１Ｃと略半円の凹部５１Ｄとを組み合わせた形状であれば、凸部５１Ｃの頂点位置が鈍角であるため、第１の保護シート５１、第２の保護シート５２が、絶縁性基材７０から剥がれにくい構成とすることができる。また、図６に示した、丸みを帯びない三角形状であれば、凸部５１Ａの頂点位置から底辺位置にかけて、曲げやすさが一定に変化しており、一か所で急激に曲げやすさが変化することがなく、上述した配線層６０における配線６０Ｂへのダメージ発生を緩和することができる構成となっている。ただし、図４に示したように、頂点に丸みを帯びた略三角形状とすることにより、上述した第１の保護シート５１、第２の保護シート５２が、絶縁性基材７０から剥がれにくいという効果と、配線層６０における配線６０Ｂへのダメージ発生を緩和するという効果を両立する構成とすることができる。
【００５１】
なお、第１の保護シート５１が有する複数の凸部５１Ａと絶縁性基材７０の端部との交差角度が鈍角である構成とすることが望ましい。このような構成とすることにより、第１の保護シート５１が絶縁性基材７０の端部側から剥がれにくいという効果を得ることができる。同様に、第２の保護シート５２が有する凸部５２Ａと絶縁性基材７０の端部との交差角度が鈍角である構成とすることが望ましい。
【００５２】
続いて、第１の保護シート５１、第２の保護シート５２と、信号線８１、電源線８２との配置関係について説明する。
【００５３】
絶縁性基材７０の外表面側においては、上述したように表示素子４２とドライバＩＣ４８とを接続する複数の信号線８１が設けられている。本実施形態においては、図４に示すように、第１の保護シート５１における複数の凸部５１Ａの頂点と、第２の保護シート５２における複数の凸部５２Ａの頂点とが対向する構成としている。そのため、絶縁性基材７０の長手方向に延伸する信号線８１Ａの一端側が、第１の保護シート５１における複数の凸部５１Ａの内の隣り合う二つの凸部５１Ａの頂点の間に対応する位置に配置されると、信号線８１Ａの他端側は、第１の保護シート５２における複数の凸部５２Ａの内の隣り合う二つの凸部５２Ａの頂点の間に対応する位置に配置されることとなる。このような構成とすることにより、湾曲領域Ｂ形成時において、複数の凸部５１Ａ、凸部５２Ａの頂点が信号線８１Ａにダメージを与えることを抑制することができる。
【００５４】
また、複数の信号線８１の内、表示素子４２からドライバＩＣ４８に向けて斜め方向に延伸する信号線８１Ｂは、第１の保護シート５１における三角形状の凸部５１Ａにおける辺に対応する位置から、第２の保護シート５２における三角形状の凸部５２Ａにおける辺に対応する位置にまで延伸する構成としている。このような構成とすることにより、湾曲領域Ｂ形成時において、複数の凸部５１Ａ、凸部５２Ａの頂点が信号線８１Ｂにダメージを与えることを抑制することができる。
【００５５】
本実施形態においては、図４に示すように、複数の凸部５１Ａ、凸部５２Ａの配置密度が不均一となっており、絶縁性基材７０の端側に配置された凸部５１Ａ、凸部５２Ａの配置密度が、絶縁性基材７０の中央部に配置された凸部５１Ａ、凸部５２Ａの配置密度よりも低い構成としている。そして、信号線８１よりも一般的に幅が広い電源線８２を、絶縁性基材７０の端側に配置している。このような構成とすることにより、信号線８１よりも幅が広い電源線８２を、凸部５１Ａ、凸部５２Ａの配置密度が低い領域において隣り合う二つの凸部５１Ａ、凸部５２Ａの頂点の間に配置し、幅が狭く、本数が多い信号線８１を、凸部５１Ａ、凸部５２Ａの配置密度が高い領域において隣り合う二つの凸部５１Ａ、凸部５２Ａの頂点の間に配置することができる。
【００５６】
なお、図７に示すように、第１の保護シート５１の厚みが、表示領域Ａ側から湾曲領域Ｂ側に行くにしたがって薄くなり、第２の保護シート５２の厚みが、背面領域Ｃ側から湾曲領域Ｂ側に行くにしたがって薄くなる構成とすることにより、絶縁性基材７０の曲げやすさを連続的に変化させることができ、上述した配線層６０における配線６０Ｂへのダメージ発生を抑制する効果をより大きくすることができる。
【符号の説明】
【００５７】
２  表示装置、４  画素アレイ部、６  有機発光ダイオード、８  画素回路、１０  点灯ＴＦＴ、１２  駆動ＴＦＴ、１４  キャパシタ、２０  走査線駆動回路、２２  映像線駆動回路、２４  駆動電源回路、２６  制御装置、２８  走査信号線、３２  駆動電源線、４０  表示パネル、４２  表示素子、４６  部品実装領域、４８  ドライバＩＣ、５０  ＦＰＣ、５１  第１の保護シート、５１Ａ  凸部、５１Ｃ  凸部、５１Ｄ  凹部、５２  第２の保護シート、５２Ａ  凸部、５３  第３の保護シート、５３Ａ  重なり領域、５３Ｂ  重なり領域、６０  配線層、６０Ａ  絶縁層、６０Ｂ  配線、７０  絶縁性基材、８１  信号線、８１Ａ  信号線、８１Ｂ  信号線、８２  電源線、Ａ  表示領域、Ｂ  湾曲領域、Ｃ  背面領域。
【図１】
2018040977.tif 000003
【図２】
2018040977.tif 000004
【図３】
2018040977.tif 000005
【図４】
2018040977.tif 000006
【図５】
2018040977.tif 000007
【図６】
2018040977.tif 000008
【図７】
2018040977.tif 000009